(57)【特許請求の範囲】
【請求項１】
心臓電極ワイヤもしくは他の体内に埋め込み可能なワイヤの剥き出し端部（１０２）へ接続するプラグであって、
前部がプラグピン（１１２）として形成され、そして後部（１１４）に凹部（１１８）を有する、接触片（１１０）と、
前記接触片の後部（１１４）を包囲し、前記凹部（１１８）への自由なアクセスを保つ絶縁ハウジング（１２０）と、
組み上がった状態において凹部（１１８）に係合し、ワイヤの剥き出し端部（１０２）を丸めてＵ字形状とし、前記凹部（１１８）へクランプ止めすることを可能にするクランプ片（１３０）と、を備え、
前記クランプ片（１３０）はすべて絶縁材料からつくられ、
前記凹部（１１８）は、プラグ（１０１）の長手軸（Ｌ−Ｌ）方向に延び、接触片（１１０）の後端からアクセス可能となっており、またクランプ片（１３０）は、横断方向に延びてワイヤの剥き出し端部（１０２）を案内する貫通穴（１３３）を備え、
前記凹部（１１８）は円筒状で、クランプ片（１３０）は組み上げ状態においては凹部（１１８）をほぼ充填し、さらにこのクランプ片前端部（１３１）の径は凹部（１１８）の内径と一致し、またクランプ片（１３０）は、貫通穴（１３３）が設けられる中央部（１３２）の径が小さく、そして組み上げ状態において凹部（１１８）から突出する後端部（１３４，１３５）は接触片（１１０）の後端を被覆するため広くなっている、
プラグ。
【請求項２】
心臓電極ワイヤもしくは他の体内に埋め込み可能なワイヤの剥き出し端部（２０２，３０２）へ接続するプラグであって、
前部がプラグピン（２１２，３１２）として形成され、そして後部（２１４，３１４）に凹部（２１８，３１８）を有する、接触片（２１０，３１０）と、
前記接触片の後部（２１４，３１４）を包囲し、前記凹部（２１８，３１８）への自由なアクセスを保つ絶縁ハウジング（２２０，３２０）と、
組み上がった状態において凹部（２１８，３１８）に係合し、ワイヤの剥き出し端部（２０２，３０２）を丸めてＵ字形状とし、前記凹部（２１８，３１８）へクランプ止めすることを可能にするクランプ片（２３０，３３０）と、を備え、
前記クランプ片（２３０，３３０）はすべて絶縁材料からつくられ、
前記凹部（２１８，３１８）は、接触片（２１０，３１０）において横断方向に設けられ、
前記凹部（２１８，３１８）は、前記絶縁ハウジング（２２０，３２０）において横断方向に設けられ絶縁ハウジング（２２０，３２０）の後端（２２５，３２５）まで延びる長手の溝（２２４，３２４）を介してアクセスすることができ、
前記クランプ片（２３０，３３０）は絶縁ハウジング（２２０，３２０）用のカバーとして構成され、さらにこのクランプ片（２３０，３３０）は組み上げ状態においては長手溝（２２４，３２４）の少なくとも一部を覆い、かつペグ（２３５，３３５）で凹部（２１８，３１８）に係合し、
前記ペグ（２３５，３３５）は、組み上げ状態においては長手溝（２２４，３２４）の断面をほぼ充填する押圧部（２３４，３３４）から延びる、
プラグ。
【請求項３】
前記クランプ片（２３０）には、組み上げ状態において絶縁ハウジング（２２０）の対応する部品（２２８）と係合する停止部材（２３６）が設けられる、請求項２に記載のプラグ。
【請求項４】
前記クランプ片（３３０）は、組み上げ状態において、長手溝（３２４）の後端を覆う壁部（３３３）を備える、請求項２または３に記載のプラグ。
【請求項５】
前記クランプ片（２３０）は、絶縁ハウジング（２２０）上を横方向に押し進められる、請求項２〜４のいずれか一項に記載のプラグ。
【請求項６】
前記クランプ片（３３０）は、絶縁ハウジング（３２０）と一体形成され、組立て時にはフィルムヒンジ（３３７）の回りでヒンジ接合される、請求項２〜５のいずれか一項に記載のプラグ。
【請求項７】
心臓電極ワイヤもしくは他の体内に埋め込み可能なワイヤの剥き出し端部（４０２，５０２）へ接続するプラグであって、
前部がプラグピンとして形成され、そして後部（４１４，５１４）に凹部（４１８，５１８）を有する、接触片と、
前記接触片の後部（４１４，５１４）を包囲し、前記凹部（４１８，５１８）への自由なアクセスを保つ、絶縁ハウジング（４２０，５２０）と、
組み上がった状態において凹部（４１８，５１８）に係合し、ワイヤの剥き出し端部（４０２，５０２）を丸めてＵ字形状とし、前記凹部（４１８，５１８）へクランプ止めすることを可能にする、クランプ片（４３０，５３０）と、を備え、
前記クランプ片（４３０，５３０）はすべて絶縁材料からつくられ、
前記凹部（４１８，５１８）は、接触片において横断方向に設けられ、
前記ワイヤの剥き出し端部（４０２）は、非組立て状態においては、凹部（４１８）と交差ないし凹部（４１８）を切断する長手チャネル（４１９）を介して、後端からプラグ（４０１）に挿入され、前記絶縁ハウジング４２０は、凹部（４１８）を覆って、開口（４２２）以外は横方向に閉じられており、そして前記クランプ片（４３０）は、開口（４２２）と凹部（４１８）に横方向に押し込められるピン（４３２，４３４）として形成される
プラグ。
【請求項８】
前記接触片の後部（５１４）は円筒形であり、前記凹部（５１８）は、接触片の後部（５１４）周縁の一部に沿って延びる円形溝として構成され、前記ワイヤの剥き出し端部（５０２）は、非組立て状態においては、接触片の前記凹部（５１８）を横切る長手溝（５１９）を介して後端からプラグ（５０１）に挿入され、前記絶縁ハウジング（５２０）は接触片の後部（５１４）上でねじられ、前記クランプ片（５３０）は、円形溝（５１８）において案内されるピンとして形成される、請求項７に記載のプラグ。
【請求項９】
前記プラグピン（１１２，２１２，３１２，６１２，７１２，８１２）を覆うように絶縁キャップ（１４０，２４０，３４０，６４０，７４０，８４０）が設けられる、請求項１〜８のいずれか一項に記載のプラグ。
【請求項１０】
前記絶縁キャップ（１４０）は、絶縁状態においてプラグピン（１１２）の前部を包囲し、プラグピン（１１２）後部の周りに配置される絶縁中間ハウジング（１４４）中に後退することができるスリーブ（１４１）として構成される、請求項９に記載のプラグ。
【請求項１１】
前記絶縁キャップ（６４０，７４０，８４０）は、絶縁状態においてプラグピン（６１２，７１２，８１２）の前部を包囲し、プラグピン（６１２，７１２，８１２）後部の周りに配置される絶縁ガイド（６４４，７４４，８４４）上を後退することができるスリーブ（６４１，７４１，８４１）として構成される、請求項９に記載のプラグ。
【請求項１２】
前記スリーブ（１４１）は、ばね（１４８）の力に抗して後退することができる、請求項１０または１１に記載のプラグ。
【請求項１３】
前記スリーブ（６４１，７４１）は、中間ハウジングもしくは絶縁ガイド（６４４，７４４）において、螺旋ガイド（６４３）もしくは差し込みガイド（７４３）によって案内される、請求項１０または１１に記載のプラグ。
【請求項１４】
前記絶縁キャップは、後部ににおいて取り付けられる絶縁ベローズとして構成される、請求項９に記載のプラグ。
【請求項１５】
前記プラグピン（９１２）は、絶縁材料からつくられ後部において取り付けられる螺旋ばね（９４０）によって包囲され、そして前記螺旋ばねは、プラグピン（９１２）の前部を露出しながら、ばねの引張り力に抗して圧縮される、請求項１〜１４のいずれかに記載のプラグ。
【発明の詳細な説明】
【０００１】
【発明の属する技術分野】
本発明は、心臓電極ワイヤもしくは他の医療目的の埋め込み可能なワイヤの剥ぎ取り端部接続用プラグに関する。
【０００２】
【従来の技術】
心臓電極ワイヤや心臓ワイヤは、一端が手術針を使った手術によって心壁に固着され、ついで胸郭を通して体外に引き出される電極である。手術針は、体外では、すでに剥き出しにされた（あるいは剥き出しにしなければならない）ワイヤの自由端にプラグが取り付けられるよう、ワイヤから取り外される。プラグは、必要なときに心臓の活動に刺激を与えたりあるいは観察するため、体外にある心臓ペースメーカーあるいはＥＣＧ（心電図）モニタにワイヤを接続させるためのものである。
【０００３】
【発明が解決しようとする課題】
心臓電極ワイヤの剥き出し端部に接続させるためのプラグは、ドイツ国特許ＤＥ３４４５１０２Ｃ１号によって知られている。導電性のプラグピンには、その長手方向を横断する方向に延び、ワイヤの剥き出し端部をねじ込むための凹部が設けられる。プラグピンの一部は、絶縁材料からつくられ、プラグピンより短い変位可能なコレットによって包囲される。ワイヤの剥き出し端部をねじ込む際には、前述の凹部の中が空になるよう、コレットを動かす。コレットはついで、ワイヤを挟みつけ、プラグピンの差し込み端部を露出させる使用位置にまで押し出される。しかし、この公知のプラグの短所は、取扱いが面倒なことである。
【０００４】
【課題を解決するための手段】
本発明の目的は、心臓電極ワイヤもしくは他の医療目的の埋め込み可能なワイヤの剥ぎ取り端部接続用プラグを提供することであり、このプラグは、簡単な方法で迅速にワイヤの剥き出し端部に固着することができ、また機械的に強固な座を形成して、良好な電気的接触を与える。
【０００５】
この目的は請求項１の特徴を有するプラグによって達成され、本発明の有利な態様は後述の具体的な実施態様に記載してある。
【０００６】
心臓電極ワイヤもしくは他の体内に埋め込み可能なワイヤの剥き出し端部に接続させる本発明によるプラグは、その前部に、プラグピンとしての接触片を有する。この接触片の後部には、凹部が設けられる。そして、この接触片の後部は絶縁ハウジングで取り囲まれ、この凹部には自由にアクセスできる。組立て状態（すなわちプラグがワイヤに接続された状態）においては、クランプ片（絶縁材料のみから造るのが好ましい）は、先の凹部に係合する。剥き出したワイヤ端部は、この状態で丸く折り曲げられ、プラグの凹部に締め付けられる。その結果、一方では機械的に固着された座が得られ、他方では他との良好な電気的接触が得られる。
【０００７】
本発明の好ましい態様においては、プラグの凹部は、プラグの長手軸の方向に延び、接触片の後端からアクセスすることができる。凹部は、好ましくは円筒状がよい。クランプ片には、ワイヤの剥き出し部分を貫通してワイヤの横断方向に延びる穴が設けられ、プラグの組立て時には、ワイヤの剥き出し端部をこの穴に通す。クランプ片は、ついでプラグの凹部に挿入される。この結果、ワイヤの剥き出し部は丸く折り曲げられ、確実な機械的取付けと安全な電気接触が達成される。
【０００８】
本発明のもう一つの態様においては、プラグの凹部は、接触片に垂直に設けられ、絶縁ハウジングに対して横断方向に設けられ、絶縁ハウジングの後端まで延びる長手の溝を介してアクセスできるようにされる。クランプ片は、絶縁ハウジングのカバーとなるようにつくることもできる。組立ての際には、ワイヤの剥き出し端部は、後方から先の長手の溝に挿入される。クランプ片はついで、長手の溝の少なくとも一部を覆い、凹部にあるペグに係合するようにして、凹部に挿入される。ペグは、ワイヤの剥き出し部分を押圧し、その結果、ワイヤの剥き出し部分は丸く折り曲げられて強固に固着される。長手の溝は比較的長い断面にされ、ワイヤの剥き出し端部をプラグの後端に比較的容易に挿入できるようにし、その結果特に迅速な取扱いが可能になるようにする。ロック部材は、クランプ片の強固な取付けを可能にするためのものである。クランプ片は、絶縁ハウジングに横断方向に押圧される個別の部品として製造される。この場合、クランプ片は最初に組立て前の段階において、ロック部材により、絶縁ハウジングにおいて中間位置に保持され、この間長手溝の後端は開いたままにされる。ワイヤの剥き出し端部を挿入した後は、クランプ片は最終位置（すなわち組立て状態）に押圧される。あるいは、クランプ片は、絶縁ハウジング一片としてつくり、ワイヤの剥き出し端部に取り付けるため、フィルムヒンジの回りに蝶番状に取り付けることもできる。
【０００９】
プラグを体外の心臓ペースメーカーもしくはＥＣＧモニタに取り付けないときは、プラグピンとは接触させない。なぜなら、電荷が、接触、すなわち医療スタッフによって移動させられ、望ましくない環境下においては、心臓に生命を脅かすような刺激を与えることもあるからである。これを防止するため、本発明のプラグには、プラグピンを覆う絶縁キャップが取り付けられる。好ましい態様においては、そのキャップは個別の部品とはせず、必要なときにプラグピンを露出できるプラグの可動部分とする。絶縁キャップは、絶縁状態においては、プラグピンの前部を取り囲み、プラグピン後部の回りに配置される絶縁性の中間ハウジングに引き込むこともできるスリーブとして形づくることもできる。また、絶縁キャップは、プラグピン後部の回りに配置された絶縁ガイド上を移動するようにもできる。後方への移動は、プラグピンがソケットに挿入されていないときは、絶縁キャップが自動的にプラグピンを覆うよう、好ましくはばねの力に抗して起こるようにするのがよい。絶縁キャップはまた、絶縁ベローズとしてつくることもできる。絶縁キャップと同じ効果をもつ変形例は、絶縁材料からつくられ、プラグピンの後部に固着されてプラグピンを取り囲むらせんばねである。プラグピンの前部を露出する際には、このばねの引張り力に抗して押し戻す。
【００１０】
【発明の実施の形態】
以下本発明を、いくつかの態様を参照して詳細に説明する。
図１と２には、心臓電極ワイヤもしくは体内に埋め込み可能なワイヤの剥き出し端部１０２に接続するプラグの第１の態様を示す。プラグ１０１の本質的な部分は、金属製の接触片１１０、絶縁ハウジング１２０、およびクランプ片１３０である。
【００１１】
図２に詳細に示すように、接触片１１０の前部はプラグピン１１２として構成される。プラグピン１１２は、接続する装置もしくは延長コードのソケット（コンセント）に適合する。接触片１１０の後部１１４は、その後端が開口した中空のシリンダに形づくられる。接触片１１０の後部１１４は、プラグピン１１２が延び出す出発点となる底片もしくは遷移領域１１５と壁１１６を備える。中空シリンダの内側は、以下では凹部１１８と呼ぶ。中空シリンダは、プラグ１１０の長手軸Ｌ−Ｌ方向に延び、接触片１１０の後端からアクセスすることができる。
【００１２】
接触片１１０は、その後部領域１１４において、プラスチック製の絶縁ハウジング１２０によって包囲される。絶縁ハウジング１２０は、その後端において、接触片１１０の後端を越えて突出する。絶縁ハウジング１２０の前部には、プラグピン１１２を挿入するための開口が設けられる。絶縁ハウジング１２０は、１１２に自由にアクセスできる。接触片１１０への接続は、接着もしくはクランプ止めによって行う。
【００１３】
クランプ片１３０は絶縁プラスチックからつくられ、長手軸Ｌ−Ｌを中心として回転対称である。クランプ片の前方端領域１３０の直径は、この前方端領域１３１を凹部１１８に押し込めるとき、クランプ片１３０がこの前方端領域１３１によって案内されるよう、凹部１１８の内径に一致する。クランプ片１３０中央部の径は、幾分小さくなっている。この領域においては、貫通孔１３３が、クランプ片１３０を横断方向に貫く。クランプ片１３０の後端領域には、段差部分１３４と径太の端部１３５が設けられる。クランプ片１３０が完全に凹部１１８に挿入される（これはプラグの組立て状態に相当する）と、クランプ片１３０は、図２（ｂ）に示したように、凹部１１８を充填する。段差部分１３４は、絶縁ハウジング１２０の後端領域にあり、他方径太の端部１３５は、絶縁ハウジング１２０の後端、したがって接触片の後端を覆う。
【００１４】
ワイヤの剥き出し端部１０２がどのようにしてプラグ１０１に取り付けられるかは、図２（ａ）と（ｂ）に示してある。図２（ａ）に示した状態においては、クランプ片１３０は、凹部１１８にわずかに挿入されている。プラグ１０１は、この位置においては、組立て前の状態において供給される。貫通孔１３３は、依然として自由にアクセスできる状態にある。組立ての最中には、ワイヤの剥き出し端部１０２は、一方の側（図２（ａ）においては左側）から、貫通孔１３３を通して押し込まれる。クランプ片１３０はついで、径太の端部１３５が絶縁ハウジング１２０の後端１２１に当るまで、前方、すなわちプラグピン１１２の方向へ押し進められる。図２をみると、ワイヤの剥き出し端部１０２は、一方では機械的に強固な座が得られ、他方では金属製接触片１１０の後部領域１１４と良好な電気接触が得られるまで、曲がる。クランプ片１３０は、中央部１３２においてわずかに径が小さいため、ワイヤの剥き出し端部１０２には十分なスペースが確保される。
【００１５】
プラグ１０１が組立てられたら、ワイヤは、プラグ１０１の後部領域から、絶縁なしで飛び出てはならない。これは、組立ての最中に、ワイヤの絶縁端部をプラグ１０１の内側まで挿入することによって達成される。ワイヤの絶縁部が剥き出し端部１０２よりかなり太い場合は、絶縁のため太くなったワイヤの部分を収めるため、クランプ片１３０の後端領域にチャネルを設けるとよい。
【００１６】
図３は、プラグピン１１２がソケットに挿入されていない場合に、好ましい態様としてプラグピン１１２を覆っている絶縁キャップ１４０を示す。絶縁キャップ１４０は、後端が径太でフランジ１４２となったプラスチック製のスリーブ１４１からなる。プラグピン１１２を露出するため、絶縁キャップ１４０は、絶縁中間ハウジング１４４に戻される。図３に示す態様においては、絶縁中間ハウジング１４４は、絶縁ハウジング１２０と一体に構成され、両者の遷移は、段差部分１４５で起こっている。段差部分１４５は、図１と２に示したように構成される接触片１１０の遷移領域１１５に対する停止限界として働く。絶縁中間ハウジング１４４は、スリーブ１４１層入用の開口を有する前面１４６をもつ。絶縁キャップ１４０は、遷移領域１１５とフランジ１４２の間にあるらせんばね１４８によって、プラグピン１１２が覆われるように、予め引っ張られる。プラグがソケットに挿入されると、らせんばね１４８を圧縮するため、何らかの力が消費される。プラグをソケットから取り出すときは、好ましくない接触から保護するため、せんばね１４８が、プラグピン１１２の上方で、絶縁キャップ１４０を押す。
【００１７】
図４は、図３の絶縁キャップを付け加えた、図１と２のプラグの拡散分解図である。工場で行われる予備組立てのときには、絶縁キャップ１４０は、まず絶縁ハウジング１２０の後端から挿入される。接触片１１０はついで、らせんばね１４８とともに挿入され、絶縁ハウジング１２０内でクランプ止めされる。最後に、クランプ片１３０は、図２（ａ）に示す位置までもっていかれる。
【００１８】
図５と６は、本発明の第２の態様に係るプラグ２０１を示す。図５は拡散分解図であり、図６は、ワイヤの剥き出し端部を挿入する前の予備組立て状態を示す。ワイヤの剥き出し端部２０２をどうやってクランプ止めするかは、図７に示してある。
【００１９】
プラグ２０１は、前と同様接触片２１０、絶縁ハウジング２２０およびクランプ片２３０を備え、さらに絶縁キャップ２４０を具備する。接触片２１０の前部は、断面円形のプラグピン２１２として構成される。そしてこれには、径の大きい中央部２１３が接合される。接触片２１０の後部領域２１４は、断面が矩形であるため、絶縁ハウジング２２０内においては、ねじりに対抗して固着される。接触片２１０の後部領域２１４においては、横断方向に、断面が矩形の凹部２１８が設けられる。
【００２０】
絶縁ハウジング２２０は、二つの部分、すなわち前部２２２と後部２２１からなる。前部２２２は、絶縁中間ハウジング２４４に一体的に接合され、接触片２１０の中央部２１３を包囲して、らせんばね２４８の力に抗して押し戻されたとき、プラグピン２１２を露出させるため、絶縁キャップ２４０を収納する役割を果たす。絶縁キャップ２４０は、図３に示した態様に似た形で設計・配置される。
【００２１】
プラグ２０１を工場で組立てるためには、絶縁キャップ２４０をまず後方から絶縁ハウジングの前部２２２と絶縁中間ハウジング２４４に挿入する。ついで金属製の接触片２１０をらせんばね２４８の中に挿入し、最後に絶縁ハウジング２２０の後部２２１を接触片２１０の後部領域２１４に押しつけて、これを絶縁ハウジング２２０の前部２２２から突出させる。絶縁ハウジング２２０の後部２２１と前部２２２は、互いに接着ないしクランプ止めされる。
【００２２】
接触片２１０の凹部２１８は、長手の溝２２４を介してアクセスすることができ、絶縁ハウジング２２０を横断する方向に設けられて、絶縁ハウジング２２０の後端２２５まで延びる。絶縁ハウジング２２０の後部２２１の両側には、上部ロック用凹部２２６と下部ロック用凹部２２８が設けられる（図５参照）。
【００２３】
クランプ片２３０は接続壁２３１を含み、接続壁２３１の両側には、互いに平行に延びる側壁２３２が接続する。接続壁２３１を基点とする両側壁２３２の間には、凹部２１８の断面に適合するペグ２３５の付いたほぼ矩形の圧力部２３４が設けられる。両側壁２３２の内側両端部には、停止用の突起２３６が設けられる。
【００２４】
図６に示した予備組立て状態においては、停止用の突起２３６は、上部ロック用凹部２２６にある。しかし、ペグ２３５の下端は、凹部２１８には嵌っていない。そのため、ワイヤの剥き出し端部２０２は、絶縁ハウジング２２０の後端２２５からアクセス可能な長手溝２２４に支障なしに挿入することができる。ワイヤの剥き出し端部２０２を挿入すると、絶縁ハウジング２２０の前部２２２は、停止限界２２３として働く（図７（ａ）参照）。プラグ２０１の最終的な組立ての際には、クランプ片２３０は、停止用の突起２３６が下部停止用凹部２２８においてロックされるまで、下方に押圧される（図７（ｂ）参照）。押圧部２３４は、長手溝２２４の断面をほぼ充填する。また、ペグ２３５は、ワイヤの剥き出し端部２０２が丸く曲げられてクランプ止めされるよう、凹部２１８に嵌る。こうすることで、機械取付けの信頼性が増し、良好な電気接触も確保される。プラグ２０１をワイヤの剥き出し端部２０２に取り付ける際には、その後に剥き出しのワイヤ部分が露出されることがないよう注意が必要である。
【００２５】
本発明の第３の態様に係るプラグ３０１は、第２の態様と同じような構成を有する。図８はプラグ３０１の拡散分解図であり、図９はワイヤの剥き出し端部が取り付けられる前の組立て状態にあるプラグ３０１を示す。また図１０（ａ）〜（ｄ）には、ワイヤの剥き出し端部３０２をクランプ止めする際の連続工程を示す。
【００２６】
図８から分るように、プラグ３０１は、これまでの態様と同じく接触片３１０、絶縁ハウジング３２０、およびクランプ片３３０を含むが、クランプ片３３０は、ここでは絶縁ハウジング３２０と一体に形成されている。絶縁キャップ３４０は、これまでの態様に類似した様式で、プラグピンを覆う役割をする。すなわち、絶縁キャップ３４０は、プラグピンを露出させるときは、らせんばね３４８の力に抗して、絶縁ハウジング３２０に合わせて成形された絶縁中間ハウジング３４４の中に押し戻される。
【００２７】
図８は、プラグ３０１が、絶縁ハウジング３２０の後端に被せながら、絶縁キャップ３４０、らせんばね３４８および接触片３１０を押し進めることによって組立てられる、工場での組立て方を示す。接触片３１０は、絶縁ハウジング３２０においてクランプ止めもしくは接着される。
【００２８】
プラグピン３１２は、接触片３１０の前部を形づくり、他方接触片３１０の後部３１４は、絶縁ハウジング３２０内でのねじりを防止するため、断面が矩形になっている。凹部３１８は、円筒状穴の形態で横断方向に設けられる。接触片３１０は、金属製である。
【００２９】
絶縁ハウジング３２０は、互いに平行に延びる二つの側壁３２２を有する。そして側壁３２２の厚さは、下部において、上部より薄くなっている。その結果、二つの突起３２３は、予備組立て段階（図９参照）において接触片３１０が上方に滑らないよう、接触片３１０の後部３１４が当るように形成される。接触片３１０の後部３１４の上側および凹部３１８は、二つの側壁３２２間に形成された長手溝３２４を介してアクセスできる。長手溝３２４は、絶縁ハウジング３２０の後端３２５に向けては開放された状態にあるが、絶縁ハウジングの前端においては、二つの側壁３２２をつなぐ横断壁３２７によって閉鎖されている。
【００３０】
クランプ片３３０は、フィルムヒンジ３３７によって、横断壁３２７にヒンジ接合される。組み上げ状態（図１０（ｄ））においては、接続壁３３１は、長手溝３２４のカバーとなる。接続壁３３１の後端からは、組み上げ状態において絶縁ハウジング３２０の後面を覆い、そして長手溝３２４も後方から覆う壁部３３３が突出する。接触片３１０の後部３１４の上方にある長手溝３２４の断面は、組み上げ状態においては、接続壁３３１の上側に配置されてペグ３３５が下方に延び出る押圧部３３４によって充填される。
ペグ３３５は、図１０（ａ）〜（ｄ）に示すように、ワイヤの剥き出し端部３０２をクランプ止めする役割を果たす。
【００３１】
この態様は、実際の使用に当ってはきわめて有利であることが照明される。絶縁ハウジング３２０、クランプ片３３０および絶縁中間ハウジング３４４は、一体に構成されるため、製造コストが安くなる。接触片３１０、絶縁キャップ３４０およびらせんばね３４８は、絶縁ハウジング３２０の開放した後端を介して中に押し込まれるため、工場での予備組立ては簡単になる。最後に、プラグ３０１は、長手溝３２４が上下から容易にアクセス可能であり、またワイヤの剥き出し端部３０２が、長手溝３２４への挿入後は、指一本で押すだけでクランプ止めされるため、迅速かつ確実にワイヤの剥き出し端部３０２に取り付けられる。絶縁ハウジング３２０は、組み上げ状態においては、壁部３３３のため、後端３２５を含むあらゆる側で閉鎖されている。クランプ片３３０が絶縁ハウジング３２０と一体形成されて紛失のおそれがないため、取扱いも簡単になる。
【００３２】
図１１（ａ）と（ｂ）は、本発明の第４の態様に係るプラグ４０１を示す。図１１（ａ）はプラグ４０１が工場から出荷されるときの予備組立て状態を示し、図１１（ｂ）は、ワイヤの剥き出し端部４０２がクランプ止めされて組み上げられた状態を示す。各状態とも、図示してあるのは、プラグ４０１の後部だけであり、図示されていないプラグピンは図１１（ａ）と（ｂ）に示した範囲の上方にある。
【００３３】
接触片の後部４１４は、プラグ軸Ａ−Ａを横断する方向に延びる凹部４１８（この態様においては円筒状の穴）を有する。プラグ４０１の後端からアクセス可能な長手チャネル４１９（このため図１１（ａ）と（ｂ）は下方からみたものである）は、プラグ軸Ａ−Ａと平行に延びる。長手チャネル４１９は、凹部４１８と交差するか、もしくはこれを切り込む。
【００３４】
接触片の後部４１４は、凹部４１８の上方に開口４２２を有する絶縁ハウジング４２０によって横方向に包囲される。この態様においては、開口４２２は円形で凹部４１８より若干小さな径を有する。長手チャネル４１９は、接触片の材料または絶縁ハウジング４２０の材料を、完全にもしくは一部くり貫いてつくる。
【００３５】
シャフト４３２とヘッド４３４からなるピンは、クランプ片４３０として働く。組み上げ状態における座をしっかりしたものにするため、シャフト４３２の径は、開口４２２のそれと一致する。
【００３６】
ワイヤの剥き出し端部４０２をプラグ４０１に取り付けるには、プラグ４０１が図１１（ａ）に示す予備組立て状態にあるか、もしくはクランプ片４３０が完全に取り去られているときには、ワイヤの剥き出し端部４０２は、背後から長手溝４１９に挿入される（このため図１１（ａ）は背面図となっている）。こうすると、クランプ片４３０は、凹部４１８に完全に押し込めることができる。ワイヤの剥き出し端部４０２は、このようにして丸められる（図１１（ｂ）参照）。こうして、機械的に強固な保持と良好な電気接触が達成される。凹部４１８の内径は、シャフト４３２の外径よりわずかに大きいため、ワイヤの剥き出し端部４０２にとっては十分なスペースが確保される。
【００３７】
図１２と１３は、本発明の第５の態様に係るプラグ５０１を示す。
図１２は、プラグ５０１の後部の長手方向断面図である（プラグピンはこの図１２に示した範囲の上方にある）。金属製接触片の後部５１４は、シリンダ軸Ｘ−Ｘをもつ円筒状になっている。接触片にある凹部５１８は、円筒形の溝として与えられる（以下参照）。接触片の後部５１４はまた、シリンダ軸Ｘ−Ｘに平行な長手チャネル（この軸をＹ−Ｙ軸と呼ぶ）を有する。
【００３８】
図１３は、シリンダ軸Ｘ−Ｘに沿って、かつＹ−Ｙ軸を通って延びるシリンダの側面領域を平面に展開した図である。この展開図は、接触片後部５１４周縁の一部の上方に円筒溝として延び出す凹部５１８の道筋を示す。長手チャネル５１９は、凹部５１８を横切る。すなわち凹部５１８は、長手チャネル５１９の両側を走るが、図１３の態様においては、この配置は非対称である。
【００３９】
接触片の後部５１４は、開口５２２は別として横方向に閉鎖された絶縁ハウジング５２０によって包囲される（図１２参照）。絶縁ハウジング５２０は、接触片の後部５１４上でねじることができる。図１２の態様においては、絶縁ハウジング５２０は、好ましくは円形の開口５２２が、凹部５１８と長手チャネル５１９の間の交差点上方に位置するように回転される。開口５２２には、図１２には示していないが、ピンとして形づくられるクランプ片５３０が挿入される。クランプ片５３０は凹部５１８に収まり、この円形溝によって案内される。
【００４０】
図１３は、プラグ５０１がワイヤの剥き出し端部５０２にどのように取り付けられるかを示す。ワイヤの剥き出し端部５０２は、絶縁ハウジング５２０が、クランプ片５３０が出発位置５３８（すなわち長手チャネル５１９の左方）に位置するよう回転されるときは、プラグの後端から（図１３においては下方から）長手チャネル５１９に挿入される。クランプの際には、絶縁ハウジング５２０はなじられる。このとき、クランプ片５３０は、ワイヤの剥き出し端部５０２に係合し、図１３では右側にある凹部５１８の一部に押し込む。ワイヤの剥き出し端部５０２は、機械的に強固な座と良好な電気接触を確保するため、曲げられ、クランプ止めされる。組み上げ状態におけるクランプ片５３０の終点位置は、図１３では符号５３９で示してある。
【００４１】
第５の態様の変形例として、絶縁ハウジング５２０をねじらないようにすることもできる。しかしクランプ片５３０は、絶縁ハウジング５２０の壁に設けた溝により案内される。この溝は、絶縁ハウジング５２０周縁の一部に沿って延び、凹部５１８の上方に位置する。このため、クランプ片５３０が絶縁ハウジングから落下するのを防止する保持部材を設けなければならない。
【００４２】
図１４〜１７は、プラグピンに好ましくない接触が起こらないよう保護するカバーの他の複数の態様を示す。
図１４は、スリーブ６４１として構成される絶縁キャップ６４０を示す。スリーブ６４１の後端内側には、ねじガイド６４３に係合するペグ６４２が設けられる。ねじガイド６４３は、プラグピン６１２の後部を包囲するプラスチック製のガイド部６４４に形成される。図１４に示す位置においては、プラグピン６１２の前部は、スリーブ６４１に覆われる。プラグが医療装置もしくは延長コードのソケットに挿入されると、スリーブ６４１はまず、ねじにより戻される。
【００４３】
図１５に示す態様は、図１４の態様に似たものである。プラグピン７１２は、ペグ７４２の付いたスリーブ７４１として構成される絶縁キャップ７４０により包囲される。しかし、ペグ７４２は、プラグピン７１２の後端を包囲する絶縁ガイド部７４４に設けられた差し込みガイド７４３に沿って滑る。プラグピン７１２の前端を露出するには、スリーブ７４１をねじって、次に押し戻さなければならない。
【００４４】
図１６は、スリーブ８４１として構成され、後部に円形の突起８４２を有する絶縁キャップ８４０を示す。図１６に示すようにプラグピン８１２の前部が覆われているときは、突起８４２は、プラスチック製のスリーブ形ガイド部８４４の前端部にあるフランジ８４３に押しつけられる。ガイド部８４４は、接触片の後部を包囲する絶縁ハウジングから突出する。
【００４５】
絶縁キャップ８４０は、ガイド部８４４の回りに配置されて突起８４２の後面に係合するらせんばね（図１６には示さず）によって予め引っ張られる。なお、ガイド部８４４の外側には、絶縁キャップ８４０から延び出るペグが係合する差し込みガイドもしくはねじを設けることもできる。
【００４６】
図１７に示す態様においては、プラグピン９１２が、閉鎖方の絶縁キャップではなく、絶縁材製のらせんばね９４０によって覆われる。らせんばね９４０の後端は、絶縁ハウジング９２０に固定される。らせんばね９４０は、図１７に示すように、その休止位置において、プラグピン９１２の前方を包囲するように、予め引っ張られる。プラグを挿入する際は、らせんばね９４０は、そのばねの引張りに抗して圧縮される。らせんばね９４０は、プラグピン９１２を閉止型で覆うものではないが、プラグピンを好ましくない接触から有効に保護する。らせんばねはプラスチック製でよく、またプラスチック製の筒に収めたスチールばねでもよい。
【００４７】
図に示さなかった他の好ましい変形例として、プラグピンの前部を、プラグピンの後部に固着される絶縁ベローズで包囲することもできる。ソケットに挿入する際には、ベローズは圧縮される。プラグを引き出すときプラグピンが自動的に被覆されるようにするには、ベローズは、適当に予備伸張された状態で設置するか、または追加のばねによって引っ張る。
【００４８】
本発明の具体的な実施態様は以下の通りである。
１）  心臓電極ワイヤもしくは他の体内に埋め込み可能なワイヤの剥き出し端部（１０２，２０２，３０２，４０２，５０２）へ接続するプラグであって、
前部がプラグピン（１１２，２１２，３１２）であり、そして後部（１１４，２１４，３１４，４１４，５１４）に凹部（１１８，２１８，３１８，４１８，５１８）を有する接触片（１１０，２１０，３１０）と、
前記接触片の後部（１１４，２１４，３１４，４１４，５１４）を包囲し、前記凹部（１１８，２１８，３１８，４１８，５１８）への自由なアクセスを保つ絶縁ハウジング（１２０，２２０，３２０，４２０，５２０）と、
組み上がった状態において凹部（１１８，２１８，３１８，４１８，５１８）に係合し、ワイヤの剥き出し端部（１０２，２０２，３０２，４０２，５０２）を丸めてＵ字形状とし、前記凹部（１１８，２１８，３１８，４１８，５１８）へクランプ止めすることを可能にするクランプ片（１３０，２３０，３３０，４３０，５３０）を備えるプラグ。
２）前記クランプ片（１３０，２３０，３３０，４３０，５３０）はすべて絶縁材料からつくられる上記実施態様１）記載のプラグ。
３）前記凹部（１１８）は、プラグ（１０１）の長手軸（Ｌ−Ｌ）方向に延び、接触片（１１０）の後端からアクセス可能となっており、またクランプ片（１３０）は、横断方向に延びてワイヤの剥き出し端部（１０２）を案内する貫通穴（１３３）を備える上記実施態様１）または２）記載のプラグ。
４）前記凹部（１１８）は円筒状で、クランプ片（１３０）は組み上げ状態においては凹部（１１８）をほぼ充填し、さらにこのクランプ片前端部（１３１）の径は凹部（１１８）の内径と一致し、またクランプ片（１３０）は、貫通穴（１３３）が設けられる中央部（１３２）の径が小さく、そして組み上げ状態において凹部（１１８）から突出する後端部（１３４，１３５）は接触片（１１０）の後端を被覆するため広くなっている上記実施態様３）記載のプラグ。
５）前記凹部（２１８，３１８，４１８，５１８）は、接触片（２１０，３１０）において横断方向に設けられる上記実施態様１）または２）記載のプラグ。
６）前記凹部（２１８，３１８）は、前記絶縁ハウジング（２２０，３２０）において横断方向に設けられ絶縁ハウジング（２２０，３２０）の後端（２２５，３２５）まで延びる長手の溝（２２４，３２４）を介してアクセスすることができる、上記実施態様５）記載のプラグ。
７）前記クランプ片（２３０，３３０）は絶縁ハウジング（２２０，３２０）用のカバーとして構成され、さらにこのクランプ片（２３０，３３０）は組み上げ状態においては長手溝（２２４，３２４）の少なくとも一部を覆い、かつペグ（２３５，３３５）で凹部（２１８，３１８）に係合する上記実施態様６）記載のプラグ。
８）前記ペグ（２３５，３３５）は、組み上げ状態においては長手溝（２２４，３２４）の断面をほぼ充填する押圧部（２３４，３３４）から延びる、上記実施態様７）記載のプラグ。
９）前記クランプ片（２３０）には、組み上げ状態において絶縁ハウジング（２２０）の対応する部品（２２８）と係合する停止部材（２３６）が設けられる上記実施態様７）または８）記載のプラグ。
１０）前記クランプ片（３３０）は、組み上げ状態において、長手溝（３２４）の後端を覆う壁部（３３３）を備える上記実施態様７）ないし９）のいずれか一項記載のプラグ。
１１）前記クランプ片（２３０）は、絶縁ハウジング（２２０）上を横方向に押し進められる上記実施態様７）ないし１０）のいずれか一項記載のプラグ。
【００４９】
１２）前記クランプ片（３３０）は、絶縁ハウジング（３２０）と一体形成され、組立て時にはフィルムヒンジ（３３７）の回りでヒンジ接合される上記実施態様７）ないし１０）のいずれか一項記載のプラグ。
１３）前記ワイヤの剥き出し端部（４０２）は、非組立て状態においては、凹部（４１８）と交差ないし凹部（４１８）を切断する長手チャネル（４１９）を介して、後端からプラグ（４０１）に挿入され、前記絶縁ハウジング４２０は、凹部（４１８）を覆って、開口（４２２）以外は横方向に閉じられており、そして前記クランプ片（４３０）は、開口（４２２）と凹部（４１８）に横方向に押し込められるピン（４３２，４３４）として形成される上記実施態様５）記載のプラグ。
１４）前記接触片の後部（５１４）は円筒形であり、前記凹部（５１８）は、接触片の後部（５１４）周縁の一部に沿って延びる円形溝として構成され、前記ワイヤの剥き出し端部（５０２）は、非組立て状態においては、接触片の長手溝（５１９）を介して後端からプラグ（５０１）に挿入され、前記絶縁ハウジング（５２０）は接触片の後部（５１４）上でねじられ、前記クランプ片（５３０）は、円形溝（５１８）において案内されるピンとして形成される上記実施態様５）記載のプラグ。
１５）前記プラグピン（１１２，２１２，３１２，６１２，７１２，８１２）を覆うため、絶縁キャップ（１４０，２４０，３４０，６４０，７４０，８４０）が設けられる請求項１ないし上記実施態様１）〜１３）のいずれか一項記載のプラグ。
１６）前記絶縁キャップ（１４０）は、絶縁状態においてプラグピン（１１２）の前部を包囲し、プラグピン（１１２）後部の周りに配置される絶縁中間ハウジング（１４４）中に後退することができるスリーブ（１４１）として構成される上記実施態様１５）記載のプラグ。
１７）前記絶縁キャップ（６４０，７４０，８４０）は、絶縁状態においてプラグピン（６１２，７１２，８１２）の前部を包囲し、プラグピン（６１２，７１２，８１２）後部の周りに配置される絶縁ガイド（６４４，７４４，８４４）上に後退することができるスリーブ（６４１，７４１，８４１）として構成される上記実施態様１５）記載のプラグ。
１８）前記スリーブ（１４１）は、ばね（１４８）の力に抗して後退することができる上記実施態様１６）または１７）記載のプラグ。
１９）前記スリーブ（６４１，７４１）は、中間ハウジングもしくは絶縁ガイド（６４４，７４４）において、螺旋ガイド（６４３）もしくは差し込みガイド（７４３）によって案内される上記実施態様１６）または１７）記載のプラグ。
２０）前記絶縁キャップは、後部に取付け部をもつ絶縁ベローズとして構成される上記実施態様１５）記載のプラグ。
２１）前記プラグピン（９１２）は、らせんばね（９４０）によって包囲され、後部において取り付けられ、絶縁材料からつくられ、そしてプラグピン（９１２）の前部を露出しながら、ばねの引張り力に抗して圧縮される上記実施態様１）ないし１４）記載のプラグ。
【００５０】
【発明の効果】
以上説明したように、本発明によれば、心臓電極ワイヤもしくは他の医療目的の埋め込み可能なワイヤの剥ぎ取り端部接続用プラグであって、簡単な方法で迅速にワイヤの剥き出し端部に固着することができ、また機械的に強固な座を形成して、良好な電気的接触を与えるプラグが提供される。
【図面の簡単な説明】
【図１】本発明の第１の態様に係るプラグの全体斜視図。
【図２】（ａ）は図１のプラグの組立て中における長手方向断面図、（ｂ）はその組立てを終えた状態における長手方向断面図。
【図３】ばねによって引っ張られる前の、プラグピンを覆う絶縁キャップの断面図。
【図４】図３に示した絶縁キャップが装填された、第１の態様の変形例に係るプラグの拡散分解図。
【図５】本発明の第２の態様に係るプラグの拡散分解図。
【図６】図５のプラグの斜視図。
【図７】（ａ）は図５のプラグの作動原理を示す組立て中における長手方向断面図、（ｂ）はその組立てを終えた状態における長手方向断面図。
【図８】本発明の第３の態様に係るプラグの拡散分解図。
【図９】図８のプラグの組立て前の状態を示す斜視図。
【図１０】（ａ）、（ｂ）、（ｃ）、（ｄ）はそれぞれ、図３に示したプラグの組立て中における連続工程を示す、長手断面の一部を示す図。
【図１１】（ａ）は本発明の第４の態様に係るプラグの組立て中における長手方向断面図、（ｂ）はその組立てを終えた状態における長手方向断面図。
【図１２】本発明の第５の態様に係るプラグの長手断面の一部を示す図。
【図１３】組立た状態におけるシリンダの図１２のＸ−Ｘ軸からＹ−Ｙ軸にかけての横断領域を平面に戻したときの断面図。
【図１４】第２の態様に係る絶縁キャップの長手方向断面図。
【図１５】第３の態様に係る絶縁キャップの長手方向断面図。
【図１６】第４の態様に係る絶縁キャップの長手方向断面図。
【図１７】絶縁キャップの代わりに絶縁材料から造られたらせんばねを用いた、第５の態様に係るプラグピン接触保護装置を示す説明図。
【図１】
0004130238.tif 000002
【図２】
0004130238.tif 000003
【図３】
0004130238.tif 000004
【図４】
0004130238.tif 000005
【図５】
0004130238.tif 000006
【図６】
0004130238.tif 000007
【図７】
0004130238.tif 000008
【図８】
0004130238.tif 000009
【図９】
0004130238.tif 000010
【図１０】
0004130238.tif 000011
【図１１】
0004130238.tif 000012
【図１２】
0004130238.tif 000013
【図１３】
0004130238.tif 000014
【図１４】
0004130238.tif 000015
【図１５】
0004130238.tif 000016
【図１６】
0004130238.tif 000017
【図１７】
0004130238.tif 000018